(57)【要約】点滴流体容器との連結のための点滴アダプタは、点滴流体容器の注射ポートに連結するためのアンカー固定構成要素を含む連結部分と、薬剤流体を含有するシリンジ組立体と連結するように適合された第１のポートとを含む。第１のポートは、連結部分と流体連通する。アンカー固定構成要素は、点滴アダプタを点滴流体容器にしっかりと連結するように構成されて、点滴アダプタが点滴流体容器に連結された後、点滴流体容器からの点滴アダプタの連結解除を実質的に防止する。
2015536212.tif 000002
【特許請求の範囲】
【請求項１】
点滴流体容器との連結のための点滴アダプタであって、
前記点滴流体容器の注射ポートに連結するためのアンカー固定構成要素を含む連結部分と、
薬剤流体を含有するシリンジ組立体と連結するように構成された第１のポートであって、前記連結部分と流体連結する、第１のポートと
を備え、
前記アンカー固定構成要素は、前記点滴アダプタを前記点滴流体容器にしっかりと連結するように構成されて、前記点滴アダプタが前記流体容器に連結された後、前記点滴流体容器からの前記点滴アダプタの連結解除を実質的に防止することを特徴とする点滴流体容器との連結のための点滴アダプタ。
【請求項２】
患者の血流に連結するように適合された静脈ラインと連結するように適合された第２のポートであって、前記連結部分と流体連通する、第２のポートをさらに備えることを特徴とする請求項１に記載の点滴アダプタ。
【請求項３】
前記アンカー固定構成要素は、らせんねじ山を備えることを特徴とする請求項１に記載の点滴アダプタ。
【請求項４】
前記らせんねじ山は、前記連結部分のほぼ全体長さを延びることを特徴とする請求項３に記載の点滴アダプタ。
【請求項５】
前記らせんねじ山は、前記連結部分の周りを円周方向に１回転だけ延びることを特徴とする請求項４に記載の点滴アダプタ。
【請求項６】
前記アンカー固定構成要素は、前記点滴流体容器の前記注射ポートの流体障壁部材を穿孔するためにユーザによって必要とされる力を低減することを特徴とする請求項１に記載の点滴アダプタ。
【請求項７】
前記連結部分は、第１の流体チャネルおよび第２の流体チャネルを画定し、前記第１の流体チャネルは前記第１のポートと流体連通し、前記第２のチャネルは前記第２のポートと流体連通することを特徴とする請求項２に記載の点滴アダプタ。
【請求項８】
前記連結部分は、突き刺し先端を有するスパイクを備えることを特徴とする請求項３に記載の点滴アダプタ。
【請求項９】
前記らせんねじ山は、前記連結部分が前記点滴流体容器によって受け入れられたとき、対応するねじ山を、前記点滴流体容器の一部分内にセルフタッピングするように構成されることを特徴とする請求項８に記載の点滴アダプタ。
【請求項１０】
容器との連結のためのアダプタであって、
第１の容器に連結するように構成された連結部分であって、らせんねじ山を含む、連結部分と、
第２の容器に連結されるように適合された少なくとも１つのポートであって、前記連結部分が、前記少なくとも１つのポートと流体連通するように構成される、少なくとも１つのポートと
を備え、
前記連結部分および前記らせんねじ山は、前記第１の容器の一部分によって受け入れられるように構成され、このとき前記らせんねじ山は、前記連結部分が前記第１の容器に連結された後、前記連結部分を前記第１の容器にしっかりと連結するように構成されることを特徴とする容器との連結のためのアダプタ。
【請求項１１】
前記らせんねじ山は、前記連結部分のほぼ全体長さを延びることを特徴とする請求項１０に記載のアダプタ。
【請求項１２】
前記らせんねじ山は、前記連結部分の周りを円周方向に１回転だけ延びることを特徴とする請求項１１に記載のアダプタ。
【請求項１３】
前記らせんねじ山は、前記第１の容器の流体障壁部材を穿孔するためにユーザによって要求される力を低減することを特徴とする請求項１０に記載のアダプタ。
【請求項１４】
前記少なくとも１つのポートは、第１のポートおよび第２のポートを備え、前記第１のポートは、前記第２の容器に連結されるように構成され、前記第２ポートは、第３の容器に連結されるように構成されることを特徴とする請求項１０に記載のアダプタ。
【請求項１５】
前記連結部分は、第１の流体チャネルおよび第２の流体チャネルを画定し、前記第１のチャネルは前記第１のポートと流体連通し、前記第２のチャネルは前記第２のポートと流体連通することを特徴とする請求項１４に記載のアダプタ。
【請求項１６】
前記連結部分は、突き刺し先端を有するスパイクを備えることを特徴とする請求項１０に記載のアダプタ。
【請求項１７】
前記らせんねじ山は、前記連結部分が前記第１の容器によって受け入れられたとき、対応するねじ山を、前記第１の容器の一部分内にセルフタッピングするように構成されることを特徴とする請求項１６に記載のアダプタ。
【発明の詳細な説明】
【技術分野】
【０００１】
本開示は、一般に、薬物移送組立体に関する。より詳細には、本開示は、薬物移送手順のために点滴アダプタを静脈内バッグにしっかりと連結するためのアンカー固定構成要素に関する。
【背景技術】
【０００２】
関連出願の相互参照
本出願は、２０１２年１１月３０日出願の、米国特許仮出願第６１／７３１，９０２号明細書に対する優先権を主張するものであり、上記文献は、参照によって全体的に本明細書に組み込まれる。
【０００３】
静脈内治療用途は、患者が、点滴および薬剤治療を受けることを可能にする。たとえば、治療は、薬剤を、ＩＶを用いる静脈内ルートおよび皮下または皮下組織ルートによって、すなわち血流内におよび皮膚の下に投与することを含むことができる。静脈内治療用途が患者に提供することができる医療治療の例は、抗生物質、疼痛管理薬剤、癌治療、および類似の薬剤を含む。
【０００４】
薬剤は、「事前充填された」装置としてパッケージ化されてよく、この場合、シリンジ組立体には、パッケージ化され患者に送達される前に薬剤が事前充填される。「事前充填された」装置は、ユーザが、注射前に装置を充填する必要性を解消する。
【０００５】
特定の薬物または薬剤は、好ましくは、粉末または乾燥形態（凍結乾燥された形態など）で提供され、投与前に再構成を求める。凍結乾燥された薬物は、たとえば、通常、フリーズドライの形態で供給され、これは、希釈剤と混合されて物質を注射に適した形態に再構成する必要がある。加えて、薬物は、投与前に混合を求める複数部分システムとして提供され得る。たとえば、流動性スラリなどの１つまたは複数の液体成分と、粉末状または顆粒状の成分などの１つまたは複数の乾燥成分とが、別個の容器で提供されてよく、これらは、投与前に混合を求める。
【０００６】
患者には、静脈内システムが提供されてよく、この静脈内システムは、静脈内チュービングと、求められる薬剤を含有する注射器および／またはシリンジ組立体を受け入れるように適合されたコネクタとを含む。このようにして、治療が必要とされるとき、患者または医療施術者は、シリンジ組立体をコネクタに連結し、次いで、薬剤を、注射器および／またはシリンジ組立体、コネクタ、および静脈内チュービングを介して患者に静脈を通して注射することができる。
【先行技術文献】
【特許文献】
【０００７】
【特許文献１】米国特許第８，０７５，５５０号明細書
【発明の概要】
【発明が解決しようとする課題】
【０００８】
点滴を実行するとき、薬物または他の医療物質を、点滴バッグまたは他の点滴流体容器の内側の点滴流体に注射することがしばしば必要である。これは、点滴バッグ上または点滴流体ライン上の注射ポートの隔壁または他の流体障壁を、対象となる医療流体で充填されたシリンジの針によって貫通することによって行われる。しかし、シリンジと点滴バッグの注射ポートの間の不安定な連結は、点滴バッグからのシリンジの偶発的なまたは意図しない連結解除、漏出による作業環境の汚染、および点滴バッグの注射ポートの流体障壁を穿孔するために必要とされる大きい力などの問題を引き起こし得ることがわかっている。
【課題を解決するための手段】
【０００９】
１つの実施形態では、点滴流体容器との連結のための点滴アダプタは、点滴流体容器の注射ポートに連結するためのアンカー固定構成要素を含む連結部分と、薬剤流体を含有するシリンジ組立体と連結するように適合された第１のポートと含む。第１のポートは、連結部分と流体連通している。アンカー固定構成要素は、点滴アダプタを点滴流体容器にしっかりと連結するように構成されて、点滴アダプタが点滴流体容器に連結された後、点滴流体容器からの点滴アダプタの連結解除を実質的に防止する。
【００１０】
点滴アダプタは、患者の血流と連結するように適合された静脈内ラインと連結するように適合された第２のポートをさらに含むことができ、このとき第２のポートは、連結部分と流体連通している。アンカー固定構成要素は、らせんねじ山でよい。らせんねじ山は、連結部分のほぼ全体長さを延びることができる。らせんねじ山は、連結部分の周りを円周方向に１回転だけ延びることができる。アンカー固定構成要素は、点滴流体容器の注射ポートの流体障壁部材を穿孔するためにユーザによって要求される力を低減することができる。連結部分は、第１の流体チャネルおよび第２の流体チャネルを画定することができ、第１のチャネルは第１のポートと流体連通し、第２のチャネルは第２のポートと流体連通する。連結部分は、突き刺し先端を有するスパイクでよい。らせんねじ山は、連結部分が点滴流体容器によって受け入れられたとき、対応するねじ山を点滴流体容器の一部分内にセルフタッピングするように構成され得る。
【００１１】
別の実施形態では、容器との連結のためのアダプタは、第１の容器と連結されるように構成された連結部分を含み、このとき連結部分は、らせんねじ山を含む。アダプタは、第２の容器に連結されるように適合された少なくとも１つのポートをさらに含み、このとき連結部分は、少なくとも１つのポートと流体連通するように構成されている。連結部分およびらせんねじ山は、第１の容器の一部分によって受け入れられるように構成され、このときらせんねじ山は、連結部分が第１の容器に連結された後、連結部分を第１の容器にしっかりと連結するように構成される。
【００１２】
らせんねじ山は、連結部分のほぼ全体長さを延びることができる。らせんねじ山は、連結部分の周りを円周方向に１回転だけ延びることができる。らせんねじ山は、第１の容器の第１の障壁部材を穿孔するためにユーザによって必要とされる力を低減することができる。少なくとも１つのポートは、第１のポートおよび第２のポートを含むことができ、第１のポートは第２の容器に連結されるように構成され、第２のポートは第３の容器に連結されるように構成される。連結部分は、第１の流体チャネルおよび第２の流体チャネルを画定することができ、第１のチャネルは、第１のポートと流体連通し、第２のチャネルは、第２のポートと流体連通する。連結部分は、突き刺し先端を有するスパイクでよい。らせんねじ山は、連結部分が第１の容器によって受け入れられたとき、対応するねじ山を第１の容器の一部分内にセルフタッピングするように構成され得る。
【００１３】
本開示の上記で述べられた、また、他の特徴および利点、ならびにこれらを達成する方法が、添付の図を併用して本開示の実施形態の以下の説明を参照することによって、より明らかになり、その開示自体がより良好に理解される。
【図面の簡単な説明】
【００１４】
【図１】本発明の実施形態による点滴アダプタの斜視図である。
【図２】本発明の実施形態による図１の点滴アダプタの別の斜視図である。
【図３】本発明の実施形態による図１の点滴アダプタの静脈内ラインコネクタの斜視図である。
【図４】本発明の実施形態による、図３の静脈内ラインコネクタが取り外された、図１の点滴アダプタの主要本体の斜視図である。
【図５】本発明の実施形態による、図１の点滴アダプタの側面図である。
【図６】本発明の実施形態による、図１の点滴アダプタの上面図である。
【図７】本発明の実施形態による、図１の点滴アダプタの後面図である。
【図８】本発明の実施形態による、図１の点滴アダプタの底面図である。
【図９】本発明の実施形態による、図１の点滴アダプタの側面図である。
【図１０】本発明の実施形態による、図１の点滴アダプタの正面図である。
【図１１】本発明の実施形態による、図５の点滴アダプタの線１１−１１に沿って切り取られた断面図である。
【図１２】本発明の実施形態による、図１の点滴アダプタの断面図であり、点滴アダプタの連結部分のアンカー固定構成要素が、点滴流体容器の注射ポートにアンカー固定され、しっかりと連結されている。
【図１３】本発明の実施形態による、図１の点滴アダプタの断面図であり、点滴アダプタの連結部分のアンカー固定構成要素が、点滴流体容器の注射ポートにアンカー固定されしっかりと連結され、薬剤流体を含有するシリンジ組立体は、コネクタによって点滴アダプタの第１のポートに連結され、静脈内ラインは、点滴アダプタの第２のポートに連結され、静脈内ラインは、その反対側の端部で患者の血流に連結されている。
【発明を実施するための形態】
【００１５】
対応する参照記号は、複数の図を通じて対応する部分を示す。本明細書において記載される例証は、本開示の例示的な実施形態を示し、そのような例証は、本開示の範囲をいかなる方法においても限定すると解釈されないものとする。
【００１６】
以下の説明は、当業者が、本発明を実施するように企図された、説明された実施形態を作り出し、使用することを可能にするために提供される。しかし、さまざまな改変形態、等価物、変形形態、および代替策が、依然として容易に当業者に明らかである。あらゆるそのような改変形態、変形形態、等価物、および代替策は、本発明の趣旨および範囲に入るよう意図される。
【００１７】
これ以後の説明の目的のために、用語「上側」、「下側」、「右」、「左」、「垂直」、「水平」、「上部」、「底部」、「横方向」、「長手方向」、およびその派生語は、図に配向されるように本発明に関連付けるものとする。しかし、本発明は、明示的にそうではないと明記されない限り、さまざまな代替の変形形態をとり得ると理解されるものとする。また、添付の図に示され、以下の明細書に説明される特有の装置が、本発明の例示的な実施形態にすぎないことも理解されるものとする。故に、本明細書において開示された実施形態に特有の寸法および他の物理的特性は、限定すると理解されるものではない。
【００１８】
図１〜１３を参照すると、点滴アダプタ１０は、第１の端部１４に位置する連結部分１２と、第１のポート端部１８に位置する第１のポート１６と、第２のポート端部２２に位置する第２のポート２０とを含む。連結部分１２は、アンカー固定構成要素２４と、流体チャネル２６および流体チャネル３２とを含むが、単一のチャネル配置が利用されてもよい。第１のポート１６は、第１のポート流体チャネル２８を含み、第２のポート２０は、第２のポート流体チャネル３０を含む。図１２および１３により明確に示されるように、連結部分１２の流体チャネル２６は、第１のポート１６の第１のポート流体チャネル２８と流体連通しており、それにより、流体は、第１のポート１６において点滴アダプタ１０内に流れ、第１のポート流体チャネル２８を通って連結部分１２の流体チャネル２６まで進行し、点滴アダプタ１０の第１の端部１４から出ることができる。連結部分１２の流体チャネル３２は、第２のポート２０の第２のポート流体チャネル３０と流体連通しており、それにより、流体は、連結部分１２の第１の端部１４において点滴アダプタ１０内に流れ、流体チャネル３２を通って第２のポート流体チャネル３０まで進行し、点滴アダプタ１０の第２のポート２０から出ることができる。
【００１９】
図１〜１３を参照すれば、１つの実施形態では、点滴アダプタ１０は、略Ｙ字形状を備えることができる。さらに、点滴アダプタ１０は、第１のポート１６が薬剤流体を含有するシリンジ組立体に連結され得、第２のポート２０が患者の血流と連結するように適合された静脈内に連結され得るように第１のポート１６が第２のポート２０から一定距離分離間される限り、多様な形状およびサイズで利用可能にされ得るように企図され、これは、以下でより詳細に説明される。たとえば、別の実施形態では、点滴アダプタ１０は、略Ｔ字形状を備えることができる。
【００２０】
図３および４を参照すれば、１つの実施形態では、点滴アダプタ１０は、点滴アダプタ１０の主要本体３６（図４）に取り外し式に連結可能である静脈内ラインコネクタ３４（図３）を含むことができる。そのような実施形態では、主要本体３６は、図４に示されるような第１の連結部分４０を有する静脈ラインコネクタ受け入れ端部３８を含む。追加的に、静脈ラインコネクタ３４は、図３に示されるような第２の連結部分４４を有する主要本体受け入れ端部４２を含む。図３を参照すれば、静脈内ラインコネクタ３４は、開位置（図３）から閉位置までの間でヒンジ部分４８を介して枢動可能である端部キャップ４６を含む。
【００２１】
静脈ラインコネクタ３４は、静脈内ラインコネクタ３４の主要本体受け入れ端部４２を主要本体３６の静脈内ラインコネクタ受け入れ端部３８と係合するように配置することによって主要本体３６に連結され得る。１つの実施形態では、静脈内ラインコネクタ３４は、静脈内ラインコネクタ３４の第２の連結部分４４を主要本体３６の第１の連結部分４０と係合するように配置し、第１の連結部分４０および第２の連結部分４４をねじ込み式に係合させることによって主要本体３６に留め付けられ得る。他の実施形態では、静脈内ラインコネクタ３４の第２の連結部分４４は、圧入、係止先細部、締まり嵌め、スナップ嵌合、ボール戻り止め、係止タブ、ばね荷重式係止機構、ラッチ、接着剤、または他の類似の機構を用いて主要本体３６の第１の連結部分４０に留め付けられ得る。このようにして、静脈内ラインコネクタ３４は、主要本体３６に係止され、すなわち、静脈内ラインコネクタ３４と主要本体３６の間の大幅な相対移動は、防止される。代替の実施形態では、静脈内ラインコネクタ３４および主要本体３６は、一体的に形成され得る。
【００２２】
図１から１３を参照すれば、点滴アダプタ１０の連結部分１２は、アンカー固定構成要素２４と、第１の端部１４に隣接して配設された突き刺し先端６０とを含む。１つの実施形態では、アンカー固定構成要素２４は、ねじ山付きスパイク５２を形成するらせんねじ山５０を含む。らせんねじ山５０は、連結部分１２から外方向に径方向に延び、連結部分１２のほぼ全体長さを延びる。らせんねじ山５０は、２つの斜面部分と、平坦である頂部分とを有するが、任意の他の適切なねじ山形態が、利用されてよい。らせんねじ山５０の開始および終了点は、緩やかな開始部を形成し、らせんねじ山５０を終了するように先細にされ得る。図１に示されるように、らせんねじ山５０は、連結部分１２の周りを円周方向に１回延びるが（３６０度または１回転）、任意の他の適切なねじ山ピッチが利用され得る。さらに、単一のらせんねじ山５０が利用されるが、アンカー固定構成要素２４は、１つまたは複数のらせんねじ山５０を含むことができる。らせんねじ山５０は、点滴アダプタ１０を点滴流体容器１０２に連結するときに注射ポート１０４の内部壁と係合し、噛み合うことを可能にする。１つの実施形態では、ねじ山５０は、注射ポート１０４の内部壁内にセルフタッピングし、それ自体のねじ山を切る。このようにして、点滴アダプタ１０の連結部分１２は、注射ポート１０４内に係止されアンカー固定され、すなわち、点滴アダプタ１０と点滴流体容器１０２の注射ポート１０４の間の大幅な相対移動が、防止され、点滴流体容器１０２からの点滴アダプタ１０の連結解除が、防止される。代替の実施形態では、点滴アダプタ１０の連結部分１２のねじ切りされたスパイク５２は、点滴流体容器１０２の注射ポート１０４の内部壁上に位置する対応するねじ山とねじ込み式に係合することができる。
【００２３】
図１２および１３を参照すれば、アンカー固定構成要素２４は、点滴アダプタ１０の第１の端部１４を点滴流体容器１０２の注射ポート１０４に連結するための手段を提供する。連結部分１２のアンカー固定構成要素２４が点滴流体容器１０２の注射ポート１０４に連結された状態では、アンカー固定構成要素２４は、点滴アダプタ１０を点滴流体容器１０２にしっかりと連結し、それにより、点滴流体容器１０２からの点滴アダプタ１０の連結解除が、防止される。追加的に、連結部分１２のアンカー固定構成要素２４は、点滴アダプタ１０を点滴流体容器１０２の注射ポート１０４にアンカー固定し、すなわち、点滴アダプタ１０と点滴流体容器１０２の注射ポート１０４との間の大幅な相対移動が、防止される。このようにして、アンカー固定構成要素２４は、点滴流体容器１０２からの点滴アダプタ１０の意図しないおよび偶発的な取り外しを防止し、薬物移送手順中、点滴アダプタ１０と点滴流体容器１０２との間の漏れない連結を提供する。さらに、アンカー固定構成要素２４は、点滴流体容器１０２の注射ポート１０４の流体障壁部材１０６を穿孔するために必要とされるスパイク力を低減する。特に、連結部分１２が、注射ポート１０４と係合し、らせんねじ山５０が、注射ポート１０４の内部表面と係合し、それによって流体障壁部材１０６を穿孔し、連結部分１２を注射ポート１０４内に完全に挿入する機械的利益を提供する。点滴流体容器１０２はまた、第２のポート１０８および第２の流体障壁１１０を含むこともできる。
【００２４】
１つの実施形態では、点滴アダプタ１０は、ニュージャージー州、フランクリンレイクス（Ｆｒａｎｋｌｉｎ  Ｌａｋｅｓ）のＢｅｃｔｏｎ、Ｄｉｃｋｉｎｓｏｎ  ａｎｄ  Ｃｏｍｐａｎｙから入手可能なＢｅｃｔｏｎ  Ｄｉｃｋｉｎｓｏｎ（「ＢＤ」）  ＰｈａＳｅａｌ（商標）Ｓｙｓｔｅｍと適合可能なＰｈａＳｅａｌアダプタを備える。
【００２５】
上記で論じられたように、静脈内治療用途は、患者が、点滴および薬剤治療を受けることを可能にする。たとえば、治療は、薬剤を、ＩＶを用いる静脈内ルートおよび皮下または皮下組織ルートによって、すなわち血流内におよび皮膚の下に投与することを含むことができる。静脈内治療用途が患者に提供することができる医療治療の例は、抗生物質、疼痛管理薬剤、癌治療、および類似の薬剤を含む。
【００２６】
図１３を参照すれば、患者には、流体移送システム１００が提供されてよく、流体移送システム１００は、静脈内チュービング１２０と、要求される薬剤流体１４２を含有する注射器および／またはシリンジ組立体１４０を受け入れるように適合されたコネクタまたは注射アダプタ部材１３０とを含む。
【００２７】
点滴を実行するとき、薬物または他の医療物質を、点滴バッグまたは他の点滴流体容器１０２の内側に位置する点滴流体内に注射することがしばしば必要である。これは、しばしば、点滴流体容器１０２上の注射ポート１０４の隔壁または流体衝撃部材１０６を貫通することによって行われる。
【００２８】
図１２および１３を参照すれば、治療が必要とされるとき、患者または医療施術者は、点滴流体容器１０２の注射ポート１０４の流体障壁部材１０６を、点滴アダプタ１０の連結部分１２の突き刺し先端６０およびアンカー固定構成要素２４でスパイクするまたは穿孔することができる。有利には、本開示による点滴アダプタ１０のアンカー固定構成要素２４は、点滴アダプタ１０の連結部分１２を注射ポート１０４内に係止し、アンカー固定し、すなわち、前述で論じられたように、点滴アダプタ１０と点滴流体容器１０２の注射ポート１０４との間の大幅な相対移動が、防止され、点滴流体容器１０２からの点滴アダプタ１０の係合解除が、防止される。
【００２９】
点滴アダプタ１０が、アンカー固定構成要素２４を介して点滴流体容器１０２の注射ポート１０４にしっかりと連結された状態において、患者または医療施術者は、シリンジ組立体１４０を点滴アダプタ１０の第１のポート１６に連結することができる。１つの実施形態では、医療施術者は、シリンジ組立体１４０を、図１３に示されるコネクタ１３０を介して点滴アダプタ１０の第１のポート１６に連結することができる。コネクタ１３０は、その開示全体が、参照によって明示的に本明細書に組み込まれる、表題「Ｐｉｅｒｃｉｎｇ  Ｍｅｍｂｅｒ  Ｐｒｏｔｅｃｔｉｏｎ  Ｄｅｖｉｃｅ」の、２００８年７月１日出願の特許文献１で説明された連結器および保護装置による、穿孔部材保護コネクタになることができる。
【００３０】
シリンジ組立体１４０が第１のポート１６に連結された状態において、シリンジ組立体１４０内に含有された薬剤流体１４２は、点滴アダプタ１０を介して点滴流体容器１０２内に注射され得る。シリンジ組立体１４０およびコネクタ１３０は、次いで、点滴アダプタ１０から連結解除されてよく、点滴流体容器１０２は、次いで、看護に送られてよく、患者に投与されるよう待機する。たとえば、静脈内ラインまたは静脈内チュービング１２０が、図１３に示されるように点滴アダプタ１０の第２のポート２０に連結され得る。静脈内チュービング１２０の他方の端部は、図１３に示されるように患者Ｐの血流に連結される。このようにして、薬剤は、静脈を通して患者に投与され得る。
【００３１】
本開示は、例示的な設計を有するとして説明されてきたが、本開示は、さらに、本開示の趣旨および範囲内でさらに改変され得る。本出願は、したがって、その全体的原理を用いる本開示のあらゆる変形形態、使用、または適合を含むよう意図される。さらに、本出願は、本開示が関係し、添付の特許請求の範囲の限定内に入る当技術分野の知られているまたは慣習となっている実践内にあるような本開示からのそのような逸脱を含むよう意図される。
【図１】
2015536212.tif 000003
【図２】
2015536212.tif 000004
【図３】
2015536212.tif 000005
【図４】
2015536212.tif 000006
【図５】
2015536212.tif 000007
【図６】
2015536212.tif 000008
【図７】
2015536212.tif 000009
【図８】
2015536212.tif 000010
【図９】
2015536212.tif 000011
【図１０】
2015536212.tif 000012
【図１１】
2015536212.tif 000013
【図１２】
2015536212.tif 000014
【図１３】
2015536212.tif 000015
【国際調査報告】
2015536212.tif 000016
2015536212.tif 000017
2015536212.tif 000018